(57)【特許請求の範囲】
【請求項１】
中間周波信号から音声中間周波信号を分離して取り出す第１のバンドパスフィルタと、
この第１のバンドパスフィルタにより取り出された上記音声中間周波信号をデジタル音声中間周波信号にＡ／Ｄ変換する第１のＡ／Ｄコンバータ回路と、
この第１のＡ／Ｄコンバータ回路から出力される上記デジタル音声中間周波信号に対して音声検波を行うとともに、上記デジタル音声中間周波信号からＡＧＣ信号を形成する第１のＤＳＰと、
上記第１のバンドパスフィルタと、上記第１のＡ／Ｄコンバータ回路との間の信号ラインに設けられ、上記ＡＧＣ信号により上記音声中間周波信号に対してＡＧＣを行う可変利得アンプと、
上記中間周波信号から映像中間周波信号を分離して取り出す第２のバンドパスフィルタと、
この第２のバンドパスフィルタにより取り出された上記映像中間周波信号をデジタル映像中間周波信号にＡ／Ｄ変換する第２のＡ／Ｄコンバータ回路と、
この第２のＡ／Ｄコンバータ回路から出力される上記デジタル映像中間周波信号に対して映像検波を行う第２のＤＳＰと
を有し、
上記デジタル音声中間周波信号および上記デジタル映像中間周波信号からＡＧＣ信号を形成し、
このＡＧＣ信号により上記中間周波信号に対してＡＧＣを行う
ようにしたフロントエンド回路。
【請求項２】
請求項１に記載のフロントエンド回路において、
上記第１および第２のＡ／Ｄコンバータ回路が、上記音声中間周波信号および上記映像中間周波信号に共通であり、
上記第１および第２のＤＳＰが、上記デジタル音声中間周波信号および上記デジタル映像中間周波信号に共通である
ようにしたフロントエンド回路。
【請求項３】
請求項１あるいは請求項２に記載のフロントエンド回路において、
上記第２のＤＳＰにおいて、上記デジタル映像中間周波信号から上記映像中間周波信号の周波数のずれを検出し、
この検出出力により局部発振周波数を制御してＡＦＴを行う
ようにしたフロントエンド回路。
【請求項４】
請求項１、請求項２あるいは請求項３に記載のフロントエンド回路において、
上記第２のＤＳＰにおいて、上記デジタル映像中間周波信号から放送波信号の受信電界強度を検出し、
この検出出力により上記第２にバンドパスフィルタの通過特性を制御する
ようにしたフロントエンド回路。
【発明の詳細な説明】
【０００１】
【発明の属する技術分野】
この発明は、フロントエンド回路に関する。
【０００２】
【従来の技術】
現行のアナログテレビ放送は、地上波によるデジタルテレビ放送に移行することが決定している。このため、デジタルテレビ放送の受信用のＩＣが開発されているが、さらに、その受信処理を実現できるＤＳＰも開発されている。
【０００３】
【発明が解決しようとする課題】
ところが、アナログテレビ放送がデジタルテレビ放送に移行する移行期間には、アナログテレビ放送と、デジタルテレビ放送とが混在することになる。
【０００４】
すると、それらのテレビ放送を受信するために、アナログテレビ放送を受信して映像信号および音声信号を出力するフロントエンド回路（チューナ回路）と、デジタルテレビ放送を受信して映像信号および音声信号を出力するフロントエンド回路とが必要になってしまう。
【０００５】
この発明は、このような問題点を解決しようとするものである。
【０００６】
【課題を解決するための手段】
この発明においては、例えば、
中間周波信号から音声中間周波信号を分離して取り出す第１のバンドパスフィルタと、
この第１のバンドパスフィルタにより取り出された上記音声中間周波信号をデジタル音声中間周波信号にＡ／Ｄ変換する第１のＡ／Ｄコンバータ回路と、
この第１のＡ／Ｄコンバータ回路から出力される上記デジタル音声中間周波信号に対して音声検波を行うとともに、上記デジタル音声中間周波信号からＡＧＣ信号を形成する第１のＤＳＰと、
上記第１のバンドパスフィルタと、上記第１のＡ／Ｄコンバータ回路との間の信号ラインに設けられ、上記ＡＧＣ信号により上記音声中間周波信号に対してＡＧＣを行う可変利得アンプと、
上記中間周波信号から映像中間周波信号を分離して取り出す第２のバンドパスフィルタと、
この第２のバンドパスフィルタにより取り出された上記映像中間周波信号をデジタル映像中間周波信号にＡ／Ｄ変換する第２のＡ／Ｄコンバータ回路と、
この第２のＡ／Ｄコンバータ回路から出力される上記デジタル映像中間周波信号に対して映像検波を行う第２のＤＳＰと
を有し、
上記デジタル音声中間周波信号および上記デジタル映像中間周波信号からＡＧＣ信号を形成し、
このＡＧＣ信号により上記中間周波信号に対してＡＧＣを行う
ようにしたフロントエンド回路
とするものである。
したがって、アナログテレビ放送およびデジタルテレビ放送にかかわらず、音声信号および映像信号はデジタル処理により復調される。
【０００７】
【発明の実施の形態】
図１において、符号１０はフロントエンド回路を示し、詳細は後述するが、このフロントエンド回路１０は、シンセサイザ方式およびスーパーヘテロダイン方式に構成され、アナログテレビ放送と、デジタルテレビ放送とを受信できるものである。
【０００８】
また、符号２２Ｓ、２２ＰはＤＳＰを示し、これは、デジタル信号の状態の映像中間周波信号および音声中間周波信号に対してデジタル復調を行うとともに、復調された映像信号および音声信号に対して付随する各種の処理を実行するものである。
【０００９】
さらに、符号３０は、システム制御用のマイクロコンピュータを示し、このマイクロコンピュータ３０には、選局などを行うための複数の操作キー（操作スイッチ）３１が接続されている。
【００１０】
そして、アナログテレビ放送あるいはデジタルテレビ放送の受信時には、その放送波信号ＳRXが、フロントエンド回路１０の入力端子１１から高周波アンプ１２を通じてミキサ回路１３に供給されるとともに、局部発振回路１４から所定の周波数の局部発振信号がミキサ回路１３に供給され、目的とするチャンネルの放送波信号ＳRXが中間周波信号ＳIFに周波数変換される。なお、この中間周波信号ＳIFに含まれる映像中間周波信号および音声中間周波信号を、信号ＳIFPおよび 信号ＳIFSとする。
【００１１】
続いて、この中間周波信号ＳIF（＝ＳIFP＋ＳIFS）が、中間周波アンプ１５を通じてバンドパスフィルタ１６に供給される。このフィルタ１６は、例えばＳＡＷフィルタにより構成されるとともに、その通過帯域幅は、アナログテレビ放送およびデジタルテレビ放送の１チャンネル分、すなわち、６ＭHzとされている。こうして、フィルタ１６からは、目的とするチャンネルの中間周波信号ＳIFが取り出される。
【００１２】
そして、この取り出された中間周波信号ＳIFが、例えばＳＡＷフィルタにより構成されたバンドパスフィルタ１７Ｓに供給されて音声中間周波信号ＳIFSが分 離されて取り出され、この信号ＳIFSが、音声中間周波アンプ１８Ｓを通じてＡ ／Ｄコンバータ回路２１Ｓに供給されてデジタル音声中間周波信号ＤIFSにＡ／ Ｄ変換され、この信号ＤIFSがＤＳＰ２２Ｓに供給される。
【００１３】
このＤＳＰ２２Ｓは、これに供給された信号ＤIFSに対して、デジタル処理に より、音声信号の復調（デコード）やサラウンド処理などの信号処理を行うものである。したがって、ＤＳＰ２２Ｓからは、目的とするテレビ放送のデジタル音声信号が得られる。
【００１４】
そして、このデジタル音声信号が、ＤＳＰ２２Ｓにおいて例えばシリアル信号とされ、このシリアル信号が出力端子２４Ｓに取り出される。また、そのデジタル音声信号が、ＤＳＰ２２ＳからＤ／Ａコンバータ回路２３Ｓに供給されてアナログ音声信号にＤ／Ａ変換され、この信号が出力端子２５Ｓに取り出される。
【００１５】
さらに、このとき、音声中間周波アンプ１８Ｓが可変利得アンプの構成とされる。そして、ＤＳＰ２２Ｓにおいて、これに供給された信号ＳＤIFSからアナロ グ音声中間周波信号ＳIFSのレベルが検出され、その検出結果のデータＤAGCSが アンプ１８Ｓにその利得の制御信号として供給される。こうして、アンプ１８ＳからＡ／Ｄコンバータ回路２１Ｓに供給される信号ＳIFSは、その振幅がＡ／Ｄ コンバータ回路２１Ｓの入力ダイナミックレンジに例えば等しくなるように、ＡＧＣ制御される。
【００１６】
また、フィルタ１６からの中間周波信号ＳIFが、例えばＳＡＷフィルタにより構成されたバンドパスフィルタ１７Ｐに供給されて映像中間周波信号ＳIFPが分 離して取り出され、この信号ＳIFPが、映像中間周波アンプ１８Ｐを通じてＡ／ Ｄコンバータ回路２１Ｐに供給されてデジタル映像中間周波信号ＤIFPにＡ／Ｄ 変換され、この信号ＤIFPがＤＳＰ２２Ｐに供給される。
【００１７】
このＤＳＰ２２Ｐは、これに供給された信号ＤIFPに対して、デジタル処理に より、映像検波（デコード）やコンポーネント化などの信号処理を行うものである。したがって、ＤＳＰ２２Ｐからは、目的とするテレビ放送の例えばコンポーネント信号が、デジタル信号の状態で得られる。
【００１８】
そして、このデジタル信号が、出力端子２４Ｐに取り出される。また、このデジタル信号が、ＤＳＰ２２ＰからＤ／Ａコンバータ回路２３Ｐに供給されてアナログ信号にＤ／Ａ変換され、この信号が出力端子２５Ｐに取り出される。
【００１９】
さらに、このとき、ＤＳＰ２２Ｐにおいて、これに供給された信号ＤIFPから アナログ映像中間周波信号ＳIFPの映像中間周波数のずれが検出され、その検出 結果のデータＤAFTが、局部発振回路１４にその発振周波数の制御信号として供 給され、ＡＦＴが実行される。
【００２０】
また、高周波アンプ１２および中間周波アンプ１５が可変利得アンプにより構成される。そして、ＤＳＰ２２Ｐにおいて、デジタル映像中間周波信号ＤIFPと 、ＤＳＰ２２Ｓにおけるデジタル音声中間周波信号ＤIFSとから、アナログ中間 周波信号ＳIFのレベルが検出され、その検出結果のデータＤAGCが、高周波アン プ１２および中間周波アンプ１５にその利得の制御信号として供給される。こうして、中間周波信号ＳIFに対してＡＧＣが行われる。
【００２１】
さらに、ＤＳＰ２２Ｐからは、垂直ブランキング期間に含まれている各種のデータが取り出され、このデータがマイクロコンピュータ３０に供給される。なお、マイクロコンピュータ３０によって、局部発振回路１４の局部発振周波数が制御され、受信するチャンネルが変更される。
【００２２】
また、バンドパスフィルタ１６、１７Ｐが、可変バンドパスフィルタの構成とされ、その通過特性、特に、搬送色信号側のカットオフ特性を変更できるようにされる。そして、ＤＳＰ２２Ｐにおいて、信号ＤIFPから、アナログ映像中間周 波信号ＳIFPのレベルを検出することにより、信号ＳIFPのＣ／Ｎが検出され、その検出結果のデータＤC/Nが、バンドパスフィルタ１６、１７Ｐにその通過特性 の制御信号として供給される。
【００２３】
こうして、アナログ映像中間周波信号ＳIFPのＣ／Ｎが悪いときには、バンド パスフィルタ１６、１７Ｐの通過帯域幅は狭くされ、バンドパスフィルタ１７Ｐからは、Ｃ／Ｎの改善されたアナログ映像中間周波信号ＳIFPが取り出される。
【００２４】
さらに、マイクロコンピュータ３０からバンドパスフィルタ１７Ｐにその通過帯域幅を、デジタルテレビ放送の受信時と、アナログテレビ放送の受信時とで切り換える制御信号が供給され、バンドパスフィルタ１７Ｐの通過帯域幅は、デジタルテレビ放送の受信時と、アナログテレビ放送の受信時とで、それぞれ最適化される。
【００２５】
こうして、上述の受信機によれば、アナログテレビ放送およびデジタルテレビ放送を、フロントエンド回路１０により共通に受信することができる。そして、アナログテレビ放送およびデジタルテレビ放送を共通のフロントエンド回路１０により受信することができるので、回路部品が占めるスペースを少なくすることができるとともに、コストを下げることができる。また、消費電力を低減することもできる。
【００２６】
さらに、受信した放送波信号ＳRXを、アナログテレビ放送用のフロントエンド回路と、デジタルテレビ放送用のフロントエンド回路とに分配する必要がないので、最小入力感度の低下することがない。
【００２７】
また、アナログテレビ放送の放送波信号ＳRXもデジタル復調しているので、ＤＳＰ２２Ｐにおいて、ゴースト除去処理などの各種の処理を実行することができる。さらに、映像信号および音声信号がデジタル信号の状態で復調されるので、以後の信号処理とのインターフェイスが簡単であり、便利であるとともに、同一のＩＣ内での処理ができるようになる。さらに、生産時に必要であった調整が不要となる。
【００２８】
また、アナログテレビ放送の放送波信号ＳRXをデジタル復調しているので、その受信電界強度が中電界の場合、Ａ／Ｄ変換時の有効なビット数を９ビット以上とすることにより、アナログ復調よりも、Ｓ／Ｎを約３dB改善することができる。
【００２９】
さらに、アナログ映像中間周波信号ＳIFPのＣ／Ｎにしたがって、バンドパス フィルタ１６、１７Ｐの通過特性を変更しているので、放送波信号ＳRXの受信電界強度が低いときでも、適切な映像信号を得ることができる。
【００３０】
また、アナログテレビ放送およびデジタルテレビ放送の受信時、放送波信号ＳRXのレベルが受信条件や受信状態によって異なったり、変化したりしても、アナログ映像中間周波信号ＳIFPおよびアナログ音声中間周波信号ＳIFSを効果的にＡ／Ｄ変換することができる。
【００３１】
すなわち、高周波アンプ１２および中間周波アンプ１５においてＡＧＣが行われるので、アナログ中間周波信号ＳIFのレベルは、放送波信号ＳRXの受信状態にかかわらずほぼ一定となる。したがって、Ａ／Ｄコンバータ回路２１Ｐに供給されるアナログ映像中間周波信号ＳIFPは、その振幅をＡ／Ｄコンバータ回路２１ Ｐの入力ダイナミックレンジに例えば等しくすることができる。
【００３２】
また、アナログ音声中間周波信号ＳIFSについては、アンプ１８Ｓによっても ＡＧＣが行われているので、このアナログ音声中間周波信号ＳIFSをＡ／Ｄコン バータ回路２１ＳによりＡ／Ｄ変換するとき、やはりその振幅をＡ／Ｄコンバータ回路２１Ｓの入力ダイナミックレンジに例えば等しくすることができる。したがって、アナログ映像中間周波信号ＳIFPおよびアナログ音声中間周波信号ＳIFSは、ビットに無駄を生じないように、効果的にＡ／Ｄ変換される。
【００３３】
上述においては、中間周波信号ＳIFから分離された音声中間周波信号ＳIFSお よび映像中間周波信号ＳIFPを独立にＡ／Ｄ変換した場合であるが、図２に示す フロントエンド回路１０においては、音声中間周波信号ＳIFSおよび映像中間周 波信号ＳIFPを一緒にＡ／Ｄ変換するようにした場合である。
【００３４】
すなわち、音声中間周波アンプ１８Ｓからのアナログ音声中間周波信号ＳIFS が加算回路１９に供給されるとともに、映像中間周波アンプ１８Ｐからのアナログ映像中間周波信号ＳIFPが加算回路１９に供給され、加算回路１９からは、信 号ＳIFSと信号ＳIFPとの加算信号ＳIF19が取り出される。
【００３５】
そして、この信号ＳIF19が、Ａ／Ｄコンバータ回路２１に供給されてデジタル加算信号ＤIF21とされ、この信号ＤIF21がＤＳＰ２２に供給される。このＤＳＰ２２は、図１におけるＤＳＰ２２ＳおよびＤＳＰ２２Ｐの処理を実行するものであり、したがって、上述のように、端子２４Ｓ、２５Ｓに音声信号がデジタル信号およびアナログ信号の状態で出力され、端子端子２４Ｐ、２５Ｐに映像信号がデジタル信号およびアナログ信号の状態で出力される。
【００３６】
また、ＤＳＰ２２からそれぞれの制御信号が出力され、音声中間周波アンプ１８ＳにおけるＡＧＣ、アンプ１２、１５におけるＡＧＣ、局部発振回路１４におけるＡＦＴが実行されるとともに、バンドパスフィルタ１６、１７Ｐの通過特性が制御される。さらに、ＤＳＰ２２からマイクロコンピュータ３０に、垂直ブランキング期間のデータが供給される。
【００３７】
したがって、この受信機においても、図１の受信機と同様にアナログテレビ放送およびデジタルテレビ放送を受信することができるとともに、図１の受信機に比べ、コストを下げることができる。
【００３８】
図３は、ＤＳＰ２２Ｓ、２２Ｐの処理内容の一例を示すものである。なお、この例においては、Ａ／Ｄコンバータ回路２１ＳおよびＤ／Ａコンバータ回路２３ＳがＤＳＰ２２Ｓに内蔵され、Ａ／Ｄコンバータ回路２１ＰがＤＳＰ２２Ｐに内蔵されている場合である。
【００３９】
すなわち、ＤＳＰ２２Ｓにおいては、Ａ／Ｄコンバータ回路２１Ｓからのデジタル音声中間周波信号ＤIFSに対して、マッチドフィルタ処理および音声検波が 行われ、その音声検波出力に対して、ディエンファシス、サラウンドあるいはｄＢｘなどの処理が行われる。そして、その処理結果のデジタル信号が、端子２４Ｓに出力されるとともに、Ｄ／Ａコンバータ回路２３Ｓによりアナログ信号に変換されて端子２５Ｓに出力される。この場合、端子２４Ｓに出力されるデジタル音声信号のフォーマットとして、例えばＩ２Ｓフォーマットを採用することができ、要望する処理を外部から指定するときには、Ｉ２Ｃバスなどを使用することができる。
【００４０】
また、ＤＳＰ２２Ｓにおいて、デジタル音声中間周波信号ＤIFSからアナログ 音声中間周波信号ＳIFSのレベルが検出されてＡＧＣ用のデータＤAGCSが形成さ れる。さらに、このＤＳＰ２２Ｓにおいて得られるデジタル音声信号あるいはＤＳＰ２２Ｐから得られるデジタル映像信号が、ＩＥＥＥ１３９４にしたがったフォーマットの信号とされ、端子２６に出力される。
【００４１】
一方、ＤＳＰ２２Ｐにおいては、Ａ／Ｄコンバータ回路２１Ｐからのデジタル映像中間周波信号ＤIFPに対して、マッチドフィルタ処理および映像検波が行わ れ、その映像検波出力に対して、ゴースト除去、色復調、コンポーネント処理などが行われる。
【００４２】
そして、その処理結果のデジタル映像信号が、端子２４Ｐに出力されるとともに、Ｄ／Ａコンバータ回路２３Ｐによりアナログ映像信号に変換され、端子２５Ｐに出力される。この場合、端子２４Ｐ、２５Ｐに出力される映像信号のフォーマットは、
▲１▼  コンポジット信号
・デジタルＶＴＲ用のフォーマット
・スタジオインターフェイス用のフォーマット
▲２▼  コンポーネント信号
・デジタルＶＴＳ用のフォーマット
・スタジオインターフェイス用のフォーマット
▲３▼  Ｙ／Ｃ分離信号
のうちのどれかを、選択できるようにされる。
【００４３】
また、このとき、ＤＳＰ２２Ｐにおいて、アナログ映像中間周波信号ＳIFPの レベルが検出され、その検出結果と、ＤＳＰ２２ＳからのデータＤAGCSとにより、ＡＧＣ用のデータＤAGCが形成される。さらに、ＤＳＰ２２Ｐにおいて、ＡＦ Ｔ用のデータＤAFTおよびＣ／Ｎ改善用のデータＤC/Nも形成される。また、ＤＳＰ２２Ｐからは、垂直ブランキング期間に含まれている各種のデータが取り出されてマイクロコンピュータ３０に供給される。
【００４４】
こうして、ＤＳＰ２２Ｓ、２２Ｐにおいて、音声信号および映像信号の復調および復調後の各種の処理も行うことができる。
【００４５】
なお、上述において、音声中間周波信号ＳIFSのＡＧＣと同様、映像中間周波 アンプ１８Ｐを可変利得アンプにより構成するとともに、ＤＳＰ２２Ｐによりアナログ映像中間周波信号ＳIFPのレベルを検出し、その検出結果により映像中間 周波アンプ（可変利得アンプ）１８Ｐの利得を制御し、映像中間周波信号ＳIFP にＡＧＣをかけることもできる。
【００４６】
〔この明細書で使用している略語の一覧〕
Ａ／Ｄ：Analog to Digital
ＡＦＴ：Automatic Fine Tuning
ＡＧＣ：Automatic Gain Control
ＡＭ  ：Amplitude Modulation
dB    ：deciBel
Ｃ／Ｎ：Carrier to Noise ratio
Ｄ／Ａ：Digital to Analog
ＤＳＰ：Digital Signal Processor
ＦＭ  ：Frequency Modulation
Ｉ2Ｃ ：Inter-Integrated Circuit
Ｉ2Ｓ ：Inter-IC Sound
ＩＣ  ：Integrated Circuit
ＭHz  ：MegaHertz
ＰＣＭ：Pulse Code Modulation
Ｓ／Ｎ：Signal to Noise ratio
ＳＡＷ：Surface Acoustic Wave
ＶＴＲ：Video Tape Recorder
ＶＴＳ：Video Title Set
Ｙ／Ｃ：Luminance and Chrominance
【００４７】
【発明の効果】
この発明によれば、アナログテレビ放送およびデジタルテレビ放送を、１つのフロントエンド回路により共通に受信することができるので、回路部品が占めるスペースを少なくすることができるとともに、コストを下げることができる。また、消費電力を低減することもできる。
【００４８】
さらに、受信した放送波信号を、アナログテレビ放送用のフロントエンド回路と、デジタルテレビ放送用のフロントエンド回路とに分配する必要がないので、最小入力感度の低下することがない。
【００４９】
また、映像信号および音声信号がデジタル信号の状態で復調されるので、以後の信号処理とのインターフェイスが簡単であり、便利であるとともに、同一のＩＣ内でゴースト除去などの処理ができるようになる。さらに、生産時に必要であった調整が不要となる。また、アナログテレビ放送の放送波信号をデジタル復調しているので、その受信電界強度が中電界の場合、Ｓ／Ｎを改善することができる。
【００５０】
さらに、アナログ映像中間周波信号のＣ／Ｎにしたがって、バンドパスフィルタの通過特性を変更しているので、放送波信号の受信電界強度が低いときでも、適切な映像信号を得ることができる。また、アナログテレビ放送およびデジタルテレビ放送の受信時、放送波信号のレベルが受信条件や受信状態によって異なったり、変化したりしても、アナログ映像中間周波信号およびアナログ音声中間周波信号を効果的にＡ／Ｄ変換することができる。
【図面の簡単な説明】
【図１】この発明の一形態を示す系統図である。
【図２】この発明の他の形態を示す系統図である。
【図３】この発明を説明するための系統図である。
【符号の説明】
１０…フロントエンド回路、１１…入力端子、１２…高周波アンプ、１３…ミキサ回路、１４…局部発振回路、１５…中間周波アンプ、１６、１７Ｐおよび１７Ｓ…バンドパスフィルタ、１８Ｐ…映像中間周波アンプ、１８Ｓ…音声中間周波アンプ、２１Ｐおよび２１Ｓ…Ａ／Ｄコンバータ回路、２２Ｐおよび２２Ｓ…ＤＳＰ、２３Ｐおよび２３Ｓ…Ｄ／Ａコンバータ回路、２４Ｐおよび２４Ｓ…デジタル出力端子、２５Ｐおよび２５Ｓ…アナログ出力端子、３０…マイクロコンピュータ、３１…操作キー
【図１】
0004340825.tif 000002
【図２】
0004340825.tif 000003
【図３】
0004340825.tif 000004